(57)【要約】      （修正有）【課題】構造が簡単で、ファッション・美観と良い放熱効果を有し、９０度範囲の上下揺動の送風を実現できる回転式扇風機を提供する。【解決手段】回転式扇風機は、台座１及び台座１に設けられたカバー２を備え、カバー２内には固定及び放熱のための取付室５が設けられ、取付室５には可動支持部材が可動的に接続され、台座１には可動支持部材の下端が固定され、カバー２にはカバー２内に向けた弧形ラック８が設けられ、可動支持部材にはステップモータ６が固定され、ステップモータ６には駆動歯車６０１が設けられ、駆動歯車６０１は、弧形ラック８に噛合されている。【選択図】図２
0003200977.tif 000002
【実用新案登録請求の範囲】
【請求項１】
台座（１）及び台座（１）に設けられたカバー（２）を備える回転式扇風機であって、
前記カバー（２）内には固定及び放熱のための取付室（５）が設けられ、取付室（５）には可動支持部材（９）が可動的に接続され、前記可動支持部材（９）の下端が台座（１）に固定され、カバー（２）にはカバー（２）内に向けた弧形ラック（８）が設けられ、前記可動支持部材（９）にはステップモータ（６）が固定され、ステップモータ（６）には駆動歯車（６０１）が設けられ、駆動歯車（６０１）は前記弧形ラック（８）に噛合されている、
ことを特徴とする回転式扇風機。
【請求項２】
前記取付室（５）には開口（５０１）が設けられ、前記可動支持部材（９）の一端は取付室（５）内に延出され開口（５０１）に接続されている、
ことを特徴とする請求項１記載の回転式扇風機。
【請求項３】
前記取付室（５）には羽根用モータ（３）が固定され、羽根用モータ（３）は羽根（４）に接続されている、
ことを特徴とする請求項１記載の回転式扇風機。
【請求項４】
前記可動支持部材（９）には前記可動支持部材（９）の剛性を強化するための位置決め部材（７）が設けられている、
ことを特徴とする請求項１記載の回転式扇風機。
【請求項５】
前記弧形ラック（８）の一端は、取付室（５）に固着され、前記弧形ラック（８）の他端は、前記カバー（２）に固着されている、
ことを特徴とする請求項１記載の回転式扇風機。
【請求項６】
前記ステップモータ（６）は、取付室（５）内に位置している、
ことを特徴とする請求項１記載の回転式扇風機。
【請求項７】
前記羽根用モータ（３）は取付室（５）内に位置している、
ことを特徴とする請求項３記載の回転式扇風機。
【考案の詳細な説明】
【技術分野】
【０００１】
本実用新案は扇風機の技術分野に関し、具体的に、回転式扇風機に関する。
【背景技術】
【０００２】
現在、扇風機は主に送風と温度の低下に用いられ、空気の流動を加速させる機能を発揮して、周辺温度を低下することを目的としている。
【０００３】
例えば、扇風機の揺動調節装置は、カバー、台座、ブラケット、ハウジング、羽根とモータを備え、そのブラケットの両側とハウジングとの間に揺動調節クラッチ位置決め機構が設けられている。当該機構は、ハウジングに設けられているクラッチ台と、ブラケットに設けられている角度位置決め板を備え、クラッチ台には、バネと鋼鉄玉からなるクラッチユニットが設けられ、角度位置決め板には、鋼鉄玉に合わせた複数の位置決め孔又は凹部が設けられている。
【考案の概要】
【考案が解決しようとする課題】
【０００４】
上記構造には、クラッチユニットによって角度位置決めをするため、全体構造の製造が複雑になる点と、ファッション感の向上から見ると、ブラケットに設けられるとある程度に全体の美観度に影響がある点と、６５度範囲だけの調節が可能であるので全体の送風範囲が規制されている点で、欠陥が存在している。
【０００５】
本実用新案は、少なくとも従来技術にある技術課題の一つを解決するためのものである。
【０００６】
このため、本実用新案の一つの目的は、構造が簡単で、ファッション・美観と良い放熱効果を有し、９０度範囲の上下揺動の送風を実現できる回転式扇風機を提供することである。
【課題を解決するための手段】
【０００７】
本実用新案による回転式扇風機は、台座及び台座に設けられたカバーを備え、前記カバー内には固定及び放熱のための取付室が設けられ、取付室には可動支持部材が可動的に接続され、可動支持部材の下端は台座に固定され、カバーにはカバー内に向けた弧形ラックが設けられ、可動支持部材にはステップモータが固定され、ステップモータには駆動歯車が設けられ、駆動歯車は、弧形ラックに噛合されている。
【０００８】
また、本実用新案による回転式扇風機は、以下のような付加技術特徴を有する。本実用新案の一部の実施例によって、具体的に、さらに、前記取付室には開口が設けられ、前記可動支持部材の一端は取付室内に延出され開口に接続されている。
【０００９】
具体的に、さらに、前記取付室には羽根用モータが固定され、羽根用モータには羽根が接続されている。
【００１０】
具体的に、さらに、前記可動支持部材には、可動支持部材の剛性を強化するための位置決め部材が設けられている。
【００１１】
具体的に、さらに、前記弧形ラックの一端は、取付室に固着され、弧形ラックの他端は、前記カバーに固着されている。
【００１２】
具体的に、さらに、前記ステップモータは取付室内に位置している。
【００１３】
具体的に、さらに、前記羽根用モータは取付室内に位置している。
【考案の効果】
【００１４】
本実用新案の有益效果として、１、台座にはブラケットを省略するように設けられることで、全体の構造を簡素化し、製造の困難度をさらに低下することと、２、弧形ラックと駆動歯車とをカバー内に設けることで、全体の構造を簡素化し、上下回動を実現し、さらに全体のファッション・美観を向上することと、３、ステップモータと羽根用モータとを取付室に設けることで、防塵と一層の放熱作用と発揮することと、４、９０度範囲の上下揺動が実現でき、さらに送風範囲を拡大することである。
【００１５】
本実用新案の上記及び/又は付加の局面及びメリットは、以下の図面を参照して実施例を説明することにより、明確且つ理解し易くなる。
【図面の簡単な説明】
【００１６】
【図１】本実用新案による構造概略図。
【図２】本実用新案による作動状態の構造概略図。
【図３】本実用新案による作動状態の構造概略図。
【図４】台座、羽根用モータ、弧形ラック、可動支持部材、取付室、ステップモータ、駆動歯車が接続される構造概略図。
【考案を実施するための形態】
【００１７】
以下、本実用新案の実施例を詳細に説明する。前記実施例の例は図面に示されている。そのうち、同一又は類似する符号は、常に、同一又は類似する要素あるいは同一又は類似する機能を有する要素を示している。以下、図面を参照して説明する実施例は例示であり、本実用新案を解釈するためのものであり、本実用新案を規制する旨はない。
【００１８】
以下、図１−図４を参照して本実用新案による実施例の回転式扇風機の揺動ファンを説明する。
【００１９】
図１−図４に示すように、本実用新案に記載の回転式扇風機は、台座１及び台座１に設けられたカバー２を備え、その前記カバー２内には固定と放熱のための取付室５が設けられ、取付室５には可動支持部材９が可動的に接続され、可動支持部材９の下端が台座１には固定され、カバー２には、カバー２内に向けた弧形ラック８が設けられ、可動支持部材９にはステップモータ６が固定され、ステップモータ６には駆動歯車６０１が設けられ、駆動歯車６０１は弧形ラック８に噛合されている。ここで、台座１にはブラケット装置を省略するようにすることで、全体構造を簡素化し、製造の困難度を一層低下した。さらに、弧形ラック８と駆動歯車６０１とをカバー２に設けることで、全体の構造を簡素化したとともに、上下回動が実現でき、全体のファッション・美観を一層向上した。さらに、９０度範囲の上下揺動の形式で送風でき、送風範囲を一層拡大した。
【００２０】
カバー２の上下回動が要求されたとき、ステップモータ６の動作を始動し、駆動歯車６０１を介して弧形ラック８を前方向或いは後方向に移動させることで、上下回動の機能を図っている。
【００２１】
また、本実用新案による回転式扇風機は、さらに以下のような付加技術特徴を有する。本実用新案の一部の実施例によって、具体的に、さらに前記取付室５に開口５０１が設けられ、前記可動支持部材９の一端は取付室５内に延出して開口５０１に接続されている。ここで、可動支持部材９を可動的に開口５０１に接続するとともに放熱の機能を果たす。前記取付室５には羽根用モータ３が固定され、相応的に、羽根用モータ３には羽根４が接続されている。羽根用モータ３が始動されると、羽根４が回転駆動されて負圧領域が形成されることにより、取付室５の空気が抽出され、その取付室５内の熱気も一緒に抽出され、羽根用モータ３の温度がさらに低くなり、羽根用モータ３の使用寿命が延長された。
【００２２】
本構造の技術案をさらに完備するために、可動支持部材９を強化し、全体の安定性を保持する。具体的に、前記可動支持部材９には可動支持部材９の剛性を強化するための位置決め部材７が設けられている。
【００２３】
具体的に、さらに、前記弧形ラック８の一端は、取付室５に固着され、弧形ラック８の他端は、前記カバー２に固着されている。これにより、カバー２の全体移動が促進され、上下角度の調節が実現でき、使用者の異なる要求を対応することができる。
【００２４】
具体的に、さらに、前記ステップモータ６は取付室５内に位置している。また、温度を更に低下するために、羽根用モータ３は、具体的に、取付室５内に位置するように設けられている。ここで、ステップモータ６と羽根用モータ３は取付室５に設けられることで、防塵と放熱の効果を図っている。通常に使用するときに、羽根４が回転すると負圧が形成されることで、埃が取付室５内に入りにくいので、ステップモータ６と羽根用モータ３の正常放熱に影響することが避けられた。
【００２５】
本構造は、上記のように構造を調整することにより、構造が簡単で、ファッション・美観及び良い放熱効果を奏するメリットがあるので、人々のニーズに対応できる。
【００２６】
以上、本実用新案の実施例を示して説明したが、当業者にとって、本実用新案の原理及び要旨から逸脱しない範囲で、これらの実施例に対して多数の変化、修正、取替えと変形を実施することは自明であって、本実用新案の範囲は請求の範囲及び均等のものによって限定されている。
【符号の説明】
【００２７】
１  台座、２  カバー、３  羽根用モータ、４  羽根、５  取付室、５０１  開口、６  ステップモータ、６０１  駆動歯車、７  位置決め部材、８  弧形ラック、９  可動支持部材。
【図１】
0003200977.tif 000003
【図２】
0003200977.tif 000004
【図３】
0003200977.tif 000005
【図４】
0003200977.tif 000006